(57)【要約】【課題】運転時の振動を抑制しつつ、脱水時間の長期化を防いだドラム式洗濯機を提供する。【解決手段】外槽の上部を前後方向に支持する二組の懸架手段を有するドラム式洗濯機において、第一の懸架手段は前記外槽を前方かつ上方へ向けて懸架し、前記第一の懸架手段のうち前記外枠との接続部は前記ドラムの前端の面よりも後方に位置し、第二の懸架手段は前記外槽を後方かつ上方へ向けて懸架し、前記第二の懸架手段のうち前記外枠との接続部は前記ドラムの後端の面よりも前方に位置し、前記第二の懸架手段のうち前記外槽との接続部は、前記第一の懸架手段のうち前記外槽との接続部よりも後方に位置させる。【選択図】図８
2014033749.tif 000002
【特許請求の範囲】
【請求項１】
前方に開口部を有する外枠と、該外枠内に配置される外槽と、該外槽内に回転可能に配置されるドラムと、該ドラムを回転駆動する駆動機構と、前記外槽を前記外枠に弾性支持し，前記外槽の振動を抑制する減衰機構と、前記外槽の上部を前後方向に支持する少なくとも二組の懸架手段を有するドラム式洗濯機において、
第一の懸架手段は前記外槽を前方かつ上方へ向けて懸架し、前記第一の懸架手段のうち前記外枠との接続部は前記ドラムの前端の面よりも後方に位置し、第二の懸架手段は前記外槽を後方かつ上方へ向けて懸架し、前記第二の懸架手段のうち前記外枠との接続部は前記ドラムの後端の面よりも前方に位置し、前記第二の懸架手段のうち前記外槽との接続部は、前記第一の懸架手段のうち前記外槽との接続部よりも後方に位置することを特徴とするドラム式洗濯機。
【請求項２】
請求項１に記載のドラム式洗濯機において、
前記外槽は前記ドラムの回転軸に略垂直な面で水槽と槽カバーとに前後に分割が可能で、前記槽カバーは前方に開口部を有する外槽前部、前記水槽は後方に駆動機構を設置する外槽後部であり、前記第一の懸架手段および第二の懸架手段の前記外槽との接続部が、前記外槽の分割面よりも後ろである前記水槽に位置することを特徴とするドラム式洗濯機。
【請求項３】
請求項１乃至２に記載のドラム式洗濯機において、
前記第二の懸架手段のうち前記外槽との接続部は、前記外枠内部に前記懸架手段により懸架される被懸架部の重心を含み前記ドラムの回転軸に垂直な面よりも前方に位置することを特徴とするドラム式洗濯機。
【請求項４】
請求項１に記載のドラム式洗濯機において、
前記懸架手段は前記第一の懸架手段と前記第二の懸架手段でのみ構成されることを特徴とするドラム式洗濯機。
【請求項５】
請求項１に記載のドラム式洗濯機において、
前記第一の懸架手段と前記第二の懸架手段の前記外槽との接続部の前後方向の距離を、それぞれのフック部の大きさよりも長くすることを特徴とするドラム式洗濯機。
【発明の詳細な説明】
【技術分野】
【０００１】
本発明は，ドラムを内包する外槽を少なくとも懸架手段を備えた防振装置により外枠に支持した構成のドラム式洗濯機に関する。
【背景技術】
【０００２】
図１に従来のドラム式洗濯機の構造の一例を示す。図１（ａ）は従来のドラム式洗濯機を右側面から見た断面模式図であり、図１（ｂ）は鉛直方向の上から見た時の断面模式図である。
【０００３】
従来のドラム式洗濯機は、外枠２０１の前面に開口する衣類投入口を有し、ドア２０２によって開口部の開閉を行う。水を貯める外槽２０３の前方には開口部があり、外枠２０１前方の開口部とゴム製のパッキンであるベローズ２０３ａで接続されており、外槽２０３内を水封している。外槽２０３は下部を一対のサスペンション２０４で支持されており、サスペンション２０４はバネ２０４ａとダンパ２０４ｂで構成される。また、外槽２０３上部は前後方向に一対の懸架手段２０５で支持されており、前後方向に倒れるのを防止している。このように、外槽２０３は下部、前方、上部をそれぞれ外枠２０１に弾性支持されている。図中に破線で示すドラム２０６は外槽２０３内に回転自由に接続され、外槽２０３の背面に設置されているモータ２０７にシャフトを介して接続されている。図中の一点鎖線はドラム２０６の回転軸を示す。また，図中に懸架手段２０５により懸架される外槽２０３やドラム２０６、モータ２０７などによって構成される被懸架部である振動部の重心Ｇを示す。
【０００４】
ドラム２０６内に衣類や水が投入されると、サスペンション２０４が縮み、外槽２０３が沈み込む。この時、衣類と水の重心は外槽２０３やドラム２０６で構成される振動部の重心Ｇと異なる位置にあるため、外槽２０３が前後方向に倒れる可能性がある。そこで、特許文献１に記載の構造を前述した一例であるドラム式洗濯機に当てはめると、外槽２０３の第一の懸架手段２０５ａで前方を前方上部に懸架し、外槽２０３の後方を第二の懸架手段２０５ｂで後方上部に懸架する懸架手段２０５を有する構造である。これによりドラム内に衣類と水が投入された場合でも、外槽が前後方向に倒れるのを抑制する事が可能である。
【０００５】
図２にドラム式洗濯機のように、回転軸に対する不釣り合いによって発生する遠心力が加振力となる場合の、一般的な振動変位と伝達力の関係を示す。図２（ａ）が回転速度と振動変位の関係を示し、図２（ｂ）が回転速度と伝達力の関係を示す。バネ定数が大きくなると、振動系の剛性が高くなるため、共振回転速度が大きくなる。また、遠心力は回転速度の２乗に比例するため、共振回転速度が高い程、その時の加振力も大きくなる。図２（ａ）に示すように、回転速度の上昇に伴い徐々に変位が増大していき、共振時に最大となり、その後徐々に低下する。バネ定数が大きいと、回転速度が共振回転速度よりも低い場合は、バネ定数が小さい場合に比べ、振動変位が小さくなる。しかし、共振回転速度付近もしくはそれよりも高い場合は、バネ定数が大きい程振動変位が大きくなる。特に、振動変位の最大値は、バネ定数が大きい程大きい。同様に、図２（ｂ）に示す伝達力においても、バネ定数が大きい程、伝達力の最大値が大きくなる。このように、振動部を支えるバネはバネ定数が小さい程、振動変位や伝達力を低減することができる。
【０００６】
また、特許文献２に記載の構造を前述した一例であるドラム式洗濯機に当てはめると、図３の内部構造を見えるようにした右側面模式図のような構造となる。このような構造とすることで、特許文献１のように外槽２０３の前後方向への倒れを防止する事ができる。さらに、外枠２０１への接続位置を第一の懸架手段３０５ａと第二の懸架手段３０５ｂを近くに配置する事が可能になるため，外枠２０１側の接続に必要なスペースを小さくすることができる。
【先行技術文献】
【特許文献】
【０００７】
【特許文献１】特開２００６−１３６４４８号公報
【特許文献２】特開２００８−２００１８９号公報
【発明の概要】
【発明が解決しようとする課題】
【０００８】
ドラム式洗濯機では、脱水を行う回転速度まで上昇する過程で、複数の振動モードの共振が発生する。そこで、図４にドラム式洗濯機の振動の様子の一例を示す。図４（ａ）は右側面から見た時の断面模式図であり、外槽２０３がサスペンション２０４との締結部を通り、紙面に垂直な軸を中心とした回転振動を示す。また、図４（ｂ）は鉛直方向の上から見た時の断面模式図であり、重心Ｇを通り紙面に略垂直な軸を中心とした回転振動を示す。
【０００９】
ここで、特許文献１に記載の懸架手段を組み込んだドラム式洗濯機において、図４（ａ）に示す振動が発生した場合の外槽２０３と懸架手段２０５の位置関係を図５に示す。図中に示す点線は、上方向に外槽２０３が振動した時の位置を示す。外槽２０３はサスペンション２０４との接続位置付近を中心として紙面に垂直な軸周りに振動するため、外槽２０３の前方は上方向に振動する。この時、外槽２０３の前方上部の上下変位は外槽の前後方向の中心付近の上下振動より大きくなる。従って、図５に示すように、外槽２０３と懸架手段２０５が干渉する。このような干渉が発生すると、振動した時に許容することができる振動変位が小さなり、許容する事が出来る衣類の片寄りの大きさが低下する。許容できる衣類の片寄りの大きさが小さくなると、脱水起動をやり直す確率が高くなり、脱水時間の延長などを引き起こすため望ましくない。
【００１０】
一方、特許文献２に示されている支持方法を図６に示す。図６は鉛直方向の上から見た時の模式図であり、図６（ａ）は静止時を示し、図６（ｂ）は振動時を示している。図６（ｂ）の点線は振動発生時の外槽２０３の位置を示す。特許文献２では、第一の懸架手段３０５ａによって外槽２０３の前方を後方上部に懸架し、第二の懸架手段３０５ｂによって外槽２０３の後方を前方上部に懸架している。特許文献２のように側面から見て第一の懸架手段と第二の懸架手段がハの字（逆Ｖの字）となるように支持する場合、第一の懸架手段もしくは第二の懸架手段の外槽に接続する端の少なくとも一方が、振動の回転中心から遠くなる。回転方向のバネ定数は回転中心からの距離に比例するため、回転中心から遠い位置を支持すると、共振時の振動変位が増加する。さらに、回転中心から遠い位置は変位も大きいため、その位置を支持することで伝達力が大きくなる。
【００１１】
このように、特許文献１のように外枠２０１の前パネルおよび後パネルに懸架手段の一端を接続すると、許容できる衣類の片寄り量が低下する一方、特許文献２のように外槽２０３の前後方向の端を支持すると、共振時の振動変位の増加や外枠への伝達力の増加が生じる。
【００１２】
本発明の目的は、運転時の振動を抑制しつつ、脱水時間の長期化を防いだドラム式洗濯機を提供することにある。
【課題を解決するための手段】
【００１３】
上記の課題を解決するために、本発明は、前方に開口部を有する外枠と、該外枠内に配置される外槽と、該外槽内に回転可能に配置されるドラムと、該ドラムを回転駆動する駆動機構と、前記外槽を前記外枠に弾性支持し，前記外槽の振動を抑制する減衰機構と、前記外槽の上部を前後方向に支持する少なくとも二組の懸架手段を有するドラム式洗濯機において、第一の懸架手段は前記外槽を前方かつ上方へ向けて懸架し、前記第一の懸架手段のうち前記外枠との接続部は前記ドラムの前端の面よりも後方に位置し、第二の懸架手段は前記外槽を後方かつ上方へ向けて懸架し、前記第二の懸架手段のうち前記外枠との接続部は前記ドラムの後端の面よりも前方に位置し、前記第二の懸架手段のうち前記外槽との接続部は、前記第一の懸架手段のうち前記外槽との接続部よりも後方に位置する。
【発明の効果】
【００１４】
本発明によれば、懸架手段は外槽における振動変位の小さい部分を支持する事になり、前後方向の倒れを防止するとともに、外枠への伝達力が低減される。さらに、外槽が振動した際に、外槽と懸架手段とが干渉することがなくなるため、外槽と他の部材の距離を大きくすることが可能となる。従って、許容する事ができる衣類の片寄りの大きさが大きくなるため、衣類の片寄りが大きいことによって起動のやり直しをする確率が小さくなる。
【図面の簡単な説明】
【００１５】
【図１】従来のドラム式洗濯機の内部構造を示す模式図である。
【図２】加振力が遠心力である場合の変位と回転速度，伝達力と回転速度の関係を示す模式図である。
【図３】特許文献２に記載のドラム式洗濯機の内部構造を示す右側面模式図である。
【図４】従来のドラム式洗濯機の振動モードの一例を示す模式図である。
【図５】従来のドラム式洗濯機の上下方向の振動モードの一例を示す模式図である。
【図６】従来のドラム式洗濯機の左右方向の振動モードの一例を示す模式図である。
【図７】本発明の一実施形態のドラム式洗濯乾燥機の外観斜視図である。
【図８】図７に示すドラム式洗濯機の内部構造を示す右側面中央断面の模式図である。
【図９】図７に示すドラム式洗濯機の内部構造を示す右側面の模式図である。
【図１０】本発明の一実施形態のドラム式洗濯機における上下方向の振動モードの一例を示す模式図である。
【図１１】本発明の別の実施形態のドラム式洗濯機における左右方向の振動モードの一例を示す模式図である。
【図１２】本発明の別の実施形態のドラム式洗濯機における懸架手段の外槽側の接続方法を示すために上部を拡大した模式図である。
【図１３】本発明の別の実施形態のドラム式洗濯機における懸架手段の外枠側の接続方法を示すために上部を拡大した模式図である。
【発明を実施するための形態】
【００１６】
以下、本発明の実施形態について、図面を参照しながら説明する。
【００１７】
図７は本実施形態に関わるドラム式洗濯乾燥機の外観図である。図８は内部構造を示すための右側面中央断面の模式図であり、図９は内部の構造を示すために外枠の一部を切断して示した右側面の模式図である。
【００１８】
外郭を構成し前方に開口部を有する外枠１は、ベース１ａの上に取り付けられており、左右の側板１ｂ、１ｃ、前面カバー１ｄ、背面カバー１ｅ、上面カバー１ｆ、下部前面カバー１ｇで構成されている。左右の側板１ｂ、１ｃは、コの字型（Ｕの字型）の上補強材１ｈ、前補強材１ｉ、後補強材１ｊで結合されており、ベース１ａを含めて箱状の外枠１を形成し、外枠として十分な強度を有している。
【００１９】
ドア２は前面カバー１ｄの略中央に設けた衣類を出し入れするための投入口を塞ぐためのもので、前補強材１ｉに設けたヒンジ（図示せず）で開閉可能に支持されている。ドア開放ボタン２ａを押すことでロック機構（図示せず）が外れてドアが開き、ドアを前面カバー１ｄに押し付けることでロックされて閉じる。前補強材１ｉは、後述する外槽の開口部と同心に、衣類を出し入れするための略円形の開口部を有している。
【００２０】
外枠１の上部中央に設けた操作・表示パネル３は、電源スイッチ４、操作スイッチ５、表示器６を備える。操作・表示パネル３は外枠１下部に設けた制御装置７に電気的に接続している。
【００２１】
図８に示すドラム８は回転可能に支持されており、その外周壁および底壁に通水および通風のための多数の貫通孔を有し、前側端面に衣類を出し入れするための開口部８ａを設けてある。開口部８ａの外側にはドラム８と一体の流体バランサ８ｂを備えている。外周壁の内側には軸方向に延びるリフタ８ｃが複数個設けてあり、洗濯、乾燥時にドラム８を回転すると、衣類はリフタ８ｃと遠心力で外周壁に沿って持ち上がり、重力で落下するような動きを繰り返す。ドラム８の回転中心軸は、水平または開口部８ａ側が高くなるように傾斜している。
【００２２】
外枠１内に配置される円筒状の外槽１０は、ドラム８を同軸上に内包し、前面は開口し、後側端面の外側中央に駆動機構としてモータ１１を取り付ける。また、外槽１０は開口部を有する槽カバー１０ａとモータが取り付けられる水槽１０ｂに前後方向に分割する事が出来る。外槽１０の前部が槽カバー１０ａであり、外槽１０の後部が水槽１０ｂである。モータ１１の回転軸１１ａは、外槽１０を貫通し、ドラム８と結合している。
【００２３】
外槽１０の開口部と前補強材１ｉに設けた開口部は、ゴム製のベローズ１０ｃで接続しており、ドア２を閉じることで外槽１０を水封する。外槽１０の底面最下部には、排水口１０ｄが設けてあり、排水ホース１０ｅが接続されている。排水ホース１０ｅの途中には排水弁が設けてあり、排水弁を閉じて給水することで外槽１０に水を溜め、排水弁を開いて外槽１０内の水を機外へ排出する。
【００２４】
外槽１０は、下側をベース１ａに固定された左右一対のサスペンション１２で防振支持されている。サスペンション１２は、外槽１０と外枠１に弾性支持するコイルばね１２ａと、外枠１０の振動を抑制する減衰機構であるダンパ１２ｂを有している。また、外槽１０の上側は上部補強部材１ｈに取り付けた懸架手段１３で支持されており、外槽１０の前後方向へ倒れを防ぐ。懸架手段１３は、外槽１０を前方かる上方へ向けて引っ張る第一の懸架手段１３ａと、外槽１０を後方かつ上方へ向けて引っ張る第二の懸架手段１３ｂで構成される。外槽１０の下部には振動センサ１４が設置してあり、振動センサ１４の出力からドラムの回転速度の制御を行う。
【００２５】
次に、本実施形態に係わる懸架手段１３の設置方法について、図１０を用いて説明する。
【００２６】
図１０（ａ）に示すように、前後方向に伸びる第一の懸架手段１３ａの外枠１側への設置位置を外槽１０の前端よりも後側にし、前後方向に伸びる第二の懸架手段１３ｂの外枠１側への設置位置を外槽１０の後端よりも前側にする。このようにすることで、図６に示すような振動が発生した場合でも、外槽１０と外枠１が衝突するより前に、外槽１０と懸架手段１３が接触する事がないため、外槽１０と外枠１のすき間を最大限に振動スペースとして活用することができる。従って、衣類の片寄りが大きい場合でも脱水を起動できるため、衣類の片寄りが大きいことによる脱水のやり直しが生じる確率を低下させることが可能となる。
【００２７】
一般的に、外槽１０の前端は他の部分に比べ、外径が小さい。図８の側断面図に示すように、ドラム８の前端よりも後ろの部分はドラム８を内包するため、内径をドラム８の外径よりも大きくする必要があるが、ドラム８の前端よりも前の部分はドラム８と外槽１０が干渉することがないため、外径を小さくできるからである。従って、外槽１０の外径が最も大きく、最も前方となるのは、ドラム８の前端付近となる。そこで、第一の懸架手段１３ａのうち外枠１側との接続位置を、ドラム８の前端を含みドラム８の回転軸に垂直な面（面Ａ１）よりも後方とすることで、より確実に外槽１０と懸架手段１３の接触を防止する事ができる。また、同様に、第二の懸架手段１３ｂのうち外枠１側との接続位置を、ドラム８の後端を含みドラム８の回転軸に垂直な面（面Ａ２）よりも前方とすることで、第二の懸架手段１３ｂについても接触を防止することができる。
【００２８】
このように、懸架手段１３を面Ａ１、面Ａ２の間となる範囲Ａに設置することで、外槽１０と懸架手段１３が干渉する事がなくなるため、外槽１０と他の部材距離を大きくすることができる。これに伴い、より大きい衣類の片寄りが発生した場合でも、起動させることが可能となる。
【００２９】
また、第一の懸架手段１３ａと第二の懸架手段１３ｂを共用化することで、製造時の誤組みの防止や部品の共用化によるコスト低減などの利点がある。第一の懸架手段１３ａと第二の懸架手段１３ｂに発生する前後方向の力を同程度にするためには、右側面から見た時の水平な線と第一の懸架手段１３ａがなす角θ１と第二の懸架手段１３ｂがなす角θ２とを略同等とする必要がある。ここで、本実施例のようにドラム８の回転軸が傾斜したドラム式洗濯機の場合、外槽１０の前側と後側で，外枠１と外槽１０の間の鉛直距離が異なる。従って、２つの懸架手段１３の外槽１０側の接続位置が離れていると、少なくとも設置角度、もしくは設置長さが変わるため、前後のバランスがとりにくい。
【００３０】
そこで、側面から見た時に第一の懸架手段１３ａと第二の懸架手段１３ｂを逆ハの字（Ｖの字）となるように設置し、２つの懸架手段１３の外槽１０側の接続位置を近づけることで、それぞれの設置長さや水平面と懸架手段１３がなす角度を同程度とすることが容易となり、第一の懸架手段１３ａと第二の懸架手段１３ｂのバネを共用化する事が可能となる。
【００３１】
次に、本実施形態に係わる懸架手段１３の外槽１０への接続方法について、図１１を用いて説明する。図１１（ａ）は本発明のドラム式洗濯機の懸架手段１３の接続方法を示す右側断面の模式図であり、図１１（ｂ）は内部構造が分かるようにした上面模式図である。図１１（ｂ）は外槽１０に重心Ｇ付近を回転中心とした振動が発生した時の外槽１０の位置を点線で示す。なお、本実施形態における重心Ｇとは、外槽１０、ドラム８、モータ１１などによって構成される被懸架部である振動部の重心を意味する。図１１のように本実施形態の懸架手段１３は、２つの懸架手段１３ａ、１３ｂの外槽１０との接続部を、振動部の重心Ｇを含みドラム８の回転軸に垂直な面（面Ｂ２）よりも前方、かつ外槽１０の分割面（面Ｂ１）よりも後方に設置する。ここで、外槽１０の分割面とは、前方に開口部を有する槽カバー１０ａ（外槽前部）と、後方に駆動機構が設置され水を貯める水槽１０ｂを前後方向に分割する、ドラムの回転軸に垂直な面である。外槽１０の回転運動の振動モードは、振動部の重心Ｇや外槽１０の支持方法によっても異なるが、振動部の重心Ｇ付近が回転中心となる。さらに、ドラム８内に衣類や水が投入されると、ドラム８の中心は振動部の重心Ｇよりも前方にあるため、衣類と水を投入後の振動部の重心Ｇ‘は衣類と水を投入前の振動部の重心Ｇよりも前方になる。従って、振動部の重心Ｇを含みドラム８の回転軸に垂直な面よりも前方で、懸架手段１３ａ、１３ｂを外槽１０に設置することで、外槽１０の変位が小さい部分を支持する事になり、外枠１への伝達力を低減する事が可能になる。
【００３２】
さらに、懸架手段１３は振動部の姿勢を保持する役割も果たしているため、メンテナンス時や組み立て時に懸架手段１３を取り外すと、振動部が姿勢を保てなくなる。従って、メンテナンス時や組み立て時に槽カバー１０ａを外した状態においても、２つの懸架手段１３が接続された状態であることが望ましい。従って、懸架手段１３は外槽１０の分割面よりも後ろ、すなわち水槽１０ｂに接続する事が望ましい。
【００３３】
このような理由から、外槽１０への接続は外槽１０の分割面（面Ｂ１）より後となる水槽に設置し、さらに振動部の重心Ｇを含み、ドラム８の回転軸に垂直な面（面Ｂ２）よりも前方となる図のＢの範囲に設置する事が望ましい。
【００３４】
図１２に懸架手段１３の外槽１０への接続部を拡大した右側面断面図を示す。第一の懸架手段１３ａおよび第二の懸架手段１３ｂの外槽１０側の接続位置は前後方向の同じ位置にあることで、より振動変位の小さい部分に設置する事が可能になる。懸架手段１３を左右方向にずらして設置することで、ほぼ同じ位置に設置する事が可能になる。しかし、地面に垂直な軸に対して対称ではないため、初期状態でモーメントが発生する。さらに、ドラム８内に衣類や水が入ることで外槽１０が沈み込むと、よりモーメントが大きくなるため、外槽１０の開口部と外枠１側の開口部が左右方向にずれてしまう。このように、第一の懸架手段１３ａと第二の懸架手段１３ｂの外槽１０側の接続位置は外槽１０の左右方向の中心を支持する事が望ましい。前後方向および左右方向ともに同じ位置とすると、懸架手段同士が干渉するため、前後方向に少なくとも、第一の懸架手段１３ａの外槽１０側固定具１３ｃと第二の懸架手段１３ｂの外槽１０側固定具１３ｂの距離Ｌ１を、第一の懸架手段１３ａおよび第二の懸架手段１３ｂのフック部の大きさＬ２よりも大きくする必要がある。
【００３５】
また、従来技術によると、懸架手段１３を３本以上のバネで構成する方法が提案されている。このような構成とすることで、衣類や水の量が変わっても外槽１０の姿勢を維持できる。しかし、外槽１０と外枠１を接続する弾性体が多くなると、力の伝達経路が多くなり，外枠１の振動が大きくなり，床への伝達力も大きくなる。そこで、懸架手段１３を２本のバネで構成することで、外枠１への伝達力を低減し、静かな運転を実現することが可能となる。
【００３６】
次に、別の実施形態について、懸架手段の外枠１側の接続部付近を拡大して示す図１３を用いて説明する。図１３（ａ）は従来構造の支持方法を示し、図１３（ｂ）は本実施形態の支持方法を示す。従来の第一の懸架手段１０１および第二の懸架手段１０２はそれぞれ、上部補強部材１０３に接続される。第一の懸架手段１０１を上補強部材１０３に取り付けるための第一のホルダ１０４、第二の懸架手段１０２を上補強部材１０３に取り付けるための第二のホルダ１０５は、上部補強部材１０３の前後方向の中心よりも前方になるように設置されている。このような構造の場合、上部補強部材１０３の前方にのみ下向きの力が発生するため、上部補強部材１０３が反時計回りにねじれてしまう。
【００３７】
そこで、本実施形態の支持方式は図１３（ｂ）に示すように、第一の懸架手段１１１を上補強部材１１３の前後方向の中心よりも前側に第一のホルダ１１４を介して接続し、第二の懸架手段１１２を上補強部材１１３の前後方向の中心よりも後側に第二のホルダ１１５を介して設置する。このように設置することで、第一の懸架手段１１１および第二の懸架手段１１２によって上補強部材１１３に力が作用したとしても、紙面に垂直な軸に対して力が釣り合うため、上補強部材１１３がねじれにくくなる。
【００３８】
さらに、第一のホルダ１１４と第二のホルダ１１５を上補強部材１１３の前後方向の中心に対して略対称とすることで，より上補強部材１１３のねじれを防止することができる。
【符号の説明】
【００３９】
１      外枠
１ｈ    上補強部材
２      ドア
７      制御装置
８      ドラム
１０    外槽
１３    懸架手段
１３ａ  第一の懸架手段
１３ｂ  第二の懸架手段
【図１】
2014033749.tif 000003
【図２】
2014033749.tif 000004
【図３】
2014033749.tif 000005
【図４】
2014033749.tif 000006
【図５】
2014033749.tif 000007
【図６】
2014033749.tif 000008
【図７】
2014033749.tif 000009
【図８】
2014033749.tif 000010
【図９】
2014033749.tif 000011
【図１０】
2014033749.tif 000012
【図１１】
2014033749.tif 000013
【図１２】
2014033749.tif 000014
【図１３】
2014033749.tif 000015